(57)【特許請求の範囲】
【請求項１】
多テナント店で利用され、投入口にシャッタ機能のついていない入金機において、入金操作開始時に、非接触ＩＣカードで読み込んだレジ番号と、各操作前に再度非接触ＩＣカードを読み込んだレジ番号の一致チェックを行い、レジ番号が一致したカードを使用した人のみ操作が継続できることを特徴とする入金機における入金混入防止方式。
【発明の詳細な説明】
【技術分野】
【０００１】
本発明は、多テナント店で利用する入金機において、入金の混入防止技術に関する。
【背景技術】
【０００２】
入金機の入金操作では、操作開始時に磁気カードや非接触ＩＣカードを読み込み、読み込んだレジ番号を識別番号として金庫に収納した売上金情報を管理していた。また、入金機は、投入口にシャッタ機構はついていない。
【発明の概要】
【発明が解決しようとする課題】
【０００３】
入金操作にて、操作途中で本人が何らかの理由に入金機から離れたとき、入金機が空いている状態であるので、別レジの人が継続操作し入金してしまい、操作途中で離れていたレジ番号の人の売上金に加算されてしまう問題があった。
【０００４】
入金操作での混入を防ぐためには、投入口にシャッタ機構をつけて動作中はシャッタを閉めることで解決できるが、入金機では動作中での継ぎ足入金を許可することで大量入金を可能としているため、投入口のシャッタ機構をつけることはできない。
【課題を解決するための手段】
【０００５】
入金操作にて、操作しているのが本人であることを確認するため、入金操作開始時に、非接触ＩＣカードで読み込んだレジ番号と、計数開始操作／金庫収納動作／ジャム等の装置内の貨幣の除去操作／計数キャンセル操作／確定操作の前に再度非接触ＩＣカードを読み込んだレジ番号の一致チェックを行い、レジ番号が一致したカードを使用した人のみ操作が継続できる様にする。
【０００６】
各操作前のレジ番号の一致チェックにより、該当レジ番号の非接触ＩＣカードしか操作出来ないので、別レジの人との売上金の混入を防ぐことができる。また、該当レジ番号の非接触ＩＣカードを持っている人がいない場合や該当レジ番号の非接触ＩＣカードを紛失した場合に入金操作ができない救済措置として、管理者しか取り扱うことができない管理者カードを設けて返却操作を有効することで、他店舗の人の入金操作をできる様にする。
【発明の効果】
【０００７】
以上により、本発明によれば、入金機の投入口のシャッタ機構をつけなくても売上金の混入を防ぐことが可能となる。
【０００８】
また、非接触ＩＣカードを利用しカードリーダを載せたままにすることで、今まで操作の延長で売上金の混入を防ぐことが可能となる。
【図面の簡単な説明】
【０００９】
【図１】本実施例による入金機の構成例を示す図。
【図２】計数した貨幣を金庫に収納する処理フローを示すフローチャート。
【図３】計数した貨幣の入金キャンセルを行う処理フローを示すフローチャート。
【図４】ジャム発生時の装置内の貨幣の除去を行う処理フローを示すフローチャート。
【図５】入金計数中の電源断発生時の装置内の貨幣の返却を行う処理フローを示すフローチャート。
【発明を実施するための形態】
【００１０】
次に、本発明を実施するための最良の形態を、以下の実施例に基づき図面を参照しつつ説明する。
【００１１】
図１は、本実施例による入金機１の構成例を示す。
【００１２】
入金機１は、入出力部１０、計数部２０、金庫部３０、返却部４０及び制御部５０を有する。計数部２０は、計数した貨幣を一時保管する一時貯留部を有している。入金操作は、カードリーダ部１１にて非接触ＩＣカードで読み、操作可能なカードならば、ボタン部１２で「スタート」ボタンが押されたことを検出した契機に、計数部２０で貨幣を計数して一時貯留部に保管され、ボタン部１２で「確定」ボタンが押されたことを検出した契機に、一時貯留部に保管された貨幣を金庫部３０に収納される。
【００１３】
図２は計数した貨幣を金庫に収納する処理フローを示している。
【００１４】
入金機１は、カードリーダ部１１にて非接触ＩＣカードで読み込んだレジ番号を記憶部５６の非揮発メモリに記憶し（Ｓ１１）、貨幣の計数を開始させる「スタート」ボタンが押されたのをボタン部１２が検出した時（Ｓ１２）に、再度カードリーダ部１１にて非接触ＩＣカードで読み込み（Ｓ１３）、読み込んだレジ番号と開始時に記憶部５６に記憶していたレジ番号を比較し（Ｓ１４）、一致であれば、計数部２０で貨幣を計数する（Ｓ１５）。
【００１５】
不一致であれば、読み込んだカードが管理者カードかをチェックし（Ｓ１６）、管理者カード以外ならば貨幣の計数に入ることはできない（Ｓ１Ｘ）。管理者カードならば、表示部１３に管理者カードの受付を表示させ（Ｓ１７）、「スタート」ボタンが押されたのをボタン部１２が検出した時（Ｓ１８）に入金操作を終了させることができ（Ｓ１Ａ）、「キャンセル」ボタンが押されたのをボタン部１２が検出した時（Ｓ１９）には再度カード読込み待ちに戻る（Ｓ１Ｙ）。
【００１６】
計数終了後、入金金額を確定させる「確定」ボタンが押されたのをボタン部１２が検出した時（Ｓ２１）に、再度カードリーダ部１１にて非接触ＩＣカードで読み込み（Ｓ２２）、読み込んだレジ番号と開始時に記憶部５６に記憶していたレジ番号を比較し（Ｓ２３）、一致であれば、貨幣を金庫部３０に収納することができる（Ｓ２４）。
【００１７】
不一致であれば、読み込んだカードが管理者カードかをチェックし（Ｓ２６）、管理者カード以外ならば貨幣を金庫に収納することはできない（Ｓ２Ｘ）。管理者カードならば、表示部１３に管理者カードの受付を表示させ（Ｓ２７）、「スタート」ボタンが押されたのをボタン部１２が検出した時（Ｓ２８）に、計数部２０内の貨幣を返却部４０へ返却するとができ（Ｓ２Ａ）、「キャンセル」ボタンが押されたのをボタン部１２が検出した時（Ｓ２９）には再度カード読込み待ちに戻る（Ｓ２Ｙ）。
【００１８】
図３は計数した貨幣の入金キャンセルを行う処理フローを示している。
【００１９】
貨幣の計数操作（Ｓ１１）〜（Ｓ１５）した後に、入金キャンセルさせる「キャンセル」ボタンが押されたのをボタン部１２が検出した時（Ｓ３１）に、再度カードリーダ部１１にて非接触ＩＣカードで読み込み（Ｓ３２）、読み込んだレジ番号と開始時に記憶部５６に記憶していたレジ番号を比較し（Ｓ３３）、一致であれば、計数部２０内の貨幣を返却部４０へ返却することができる（Ｓ３４）。  
不一致であれば、読み込んだカードが管理者カードかをチェックし（Ｓ３６）、管理者カード以外ならば貨幣の返却を行うことはできない（Ｓ３Ｘ）。管理者カードならば、表示部１３に管理者カードの受付を表示させ（Ｓ３７）、「スタート」ボタンが押されたのをボタン部１２が検出した時（Ｓ３８）に、計数部２０内の貨幣を返却部４０へ返却するとができ（Ｓ３４）、「キャンセル」ボタンが押されたのをボタン部１２が検出した時（Ｓ３９）には再度カード読込み待ちに戻る（Ｓ３Ｙ）。
【００２０】
図４はジャム発生時の装置内の貨幣の除去を行う処理フローを示している。
【００２１】
貨幣の計数操作（Ｓ１１）〜（Ｓ１５）して貨幣の計数中にジャムを検出した場合、計数部２０の開放を行う前に、再度カードリーダ部１１にて非接触ＩＣカードで読み込み（Ｓ４２）、読み込んだレジ番号と開始時に記憶部５６に記憶していたレジ番号を比較し（Ｓ４３）、一致であれば、計数部２０を開放しジャム要因である貨幣の除去することができる（Ｓ４４）。
【００２２】
不一致であれば、読み込んだカードが管理者カードかをチェックし（Ｓ４６）、管理者カード以外ならば計数部２０の開放しないのでジャム除去することはできない（Ｓ４Ｘ）。管理者カードならば、表示部１３に管理者カードの受付を表示させ（Ｓ４７）、「スタート」ボタンが押されたのをボタン部１２が検出した時（Ｓ４８）に、計数部２０を開放しジャム要因である貨幣の除去することができ（Ｓ４４）、「キャンセル」ボタンが押されたのをボタン部１２が検出した時（Ｓ４９）には再度カード読込み待ちに戻る（Ｓ４Ｙ）。
貨幣除去後に装置の回復させる「リセット」ボタンが押されたのをボタン部１２が検出した時（Ｓ５１）に、装置回復動作を行い（Ｓ５２）、装置回復動作終了後、再度カードリーダ部１１にて非接触ＩＣカードで読み込み（Ｓ５３）、読み込んだレジ番号と開始時に記憶部５６に記憶していたレジ番号を比較し（Ｓ５４）、一致であれば、計数部２０内に残留している貨幣を返却部４０へ返却することができる（Ｓ５５）。
【００２３】
不一致であれば読み込んだカードが管理者カードかをチェックし（Ｓ５６）、管理者カード以外ならば貨幣を金庫に収納することはできない（Ｓ５Ｘ）。管理者カードならば、表示部１３に管理者カードの受付を表示させ（Ｓ５７）、「スタート」ボタンが押されたのをボタン部１２が検出した時（Ｓ５８）に、計数部２０内に残留している貨幣を返却部４０へ返却することができ（Ｓ５５）、「キャンセル」ボタンが押されたのをボタン部１２が検出した時（Ｓ５９）には再度カード読込み待ちに戻る（Ｓ５Ｙ）。
【００２４】
図５は入金計数中の電源断発生時の装置内の貨幣の返却を行う処理フローを示している。
貨幣の計数操作（Ｓ１１）〜（Ｓ１５）して貨幣の計数中に電源断された場合、その後の装置の電源スイッチＯＮ（Ｓ６１）されると、装置初期動作を行い（Ｓ６２）、装置初期動作終了後、入金計数動作開始時に記憶部５６に記憶していた動作ステータスが入金計数中または計数部２０内の貨幣の残留検出したならば（Ｓ６３）、カードリーダ部１１にて非接触ＩＣカードで読み込み（Ｓ７１）、読み込んだレジ番号と電源断前の入金操作開始時に記憶部５６に記憶していたレジ番号を比較し（Ｓ７２）、一致であれば、計数部２０内の貨幣を返却部４０へ返却することができる（Ｓ７３）。  
不一致であれば、読み込んだカードが管理者カードかをチェックし（Ｓ７６）、管理者カード以外ならば貨幣の返却を行うことはできない（Ｓ７Ｘ）。管理者カードならば、表示部１３に管理者カードの受付を表示させ（Ｓ７７）、「スタート」ボタンが押されたのをボタン部１２が検出した時（Ｓ７８）に、計数部２０内の貨幣を返却部４０へ返却することができ（Ｓ７３）、「キャンセル」ボタンが押されたのをボタン部１２が検出した時（Ｓ７９）には再度カード読込み待ちに戻る（Ｓ７Ｙ）。
【符号の説明】
【００２５】
１…入金機、  １０…入出力部、  １１…カードリーダ部、  １２…ボタン部、  １３…表示部、  ２０…計数部、  ３０…金庫部、  ４０…返却部、  ５０…制御部、  ５１…入出力制御部、  ５２…計数制御部、  ５３…金庫制御部、  ５４…返却制御部、  ５５…入金管理部、  ５６…記憶部。
【図１】
0005719736.tif 000002
【図２】
0005719736.tif 000003
【図３】
0005719736.tif 000004
【図４】
0005719736.tif 000005
【図５】
0005719736.tif 000006